(57)【特許請求の範囲】
【請求項１】
鉛直方向に設置される筒状のポールと、
前記ポールの上部において受光面が傾斜するように固定される太陽電池パネルと、前記ポールの上部において、前記太陽電池パネルの前記受光面とは反対側である背面側に配置され、かつ前記太陽電池パネルにより発電された電力を蓄える電源装置と、を備える太陽光発電装置と、
前記ポールから側方に突出されて前記ポールに取り付けられ、かつ前記電源装置から供給される電力によって点灯する灯具と、
前記ポールから、前記灯具と同じ側に突出されて前記ポールに取り付けられ、前記灯具と前記太陽光発電装置との間に位置し、かつ前記灯具の点灯を制御するセンサと、
を備え、
前記センサは、前記灯具と前記太陽光発電装置との間の距離を２等分した中央位置を基準として前記太陽光発電装置寄りに位置し、かつ前記太陽光発電装置の鉛直方向視の輪郭形状内に位置する照明器具。
【請求項２】
請求項１に記載の照明器具において、
前記センサは、雨よけ用のフードを有さず、前記太陽電池パネルが雨よけ用のフードとして機能する照明器具。
【発明の詳細な説明】
【技術分野】
【０００１】
本発明は、太陽光を取り込んで電力を発生する太陽光発電装置を装備して街路灯や天井灯等に適用される照明器具に関する。
【背景技術】
【０００２】
従来より、太陽電池パネルおよび太陽電池パネルが発電した電力を蓄える電源装置を有する太陽光発電装置と、灯具と、を支柱に設けた照明器具が知られている（例えば、特許文献１参照）。
特許文献１は、支柱の内部を中空状とし、中空状の内部に、電源装置を載置する複数の載置棚を有する棚組立部材を挿脱自在に配設している。
特許文献１は、支柱の側面に電源装置を交換可能とする開口部を設け、この開口部に開閉自在な蓋部材を設けている。
【先行技術文献】
【特許文献】
【０００３】
【特許文献１】特開２０１０−４０３０３号公報（図１、請求項１）
【発明の概要】
【発明が解決しようとする課題】
【０００４】
特許文献１は、電源装置の支柱内部への装着を容易として組立作業や配線作業などの作業性を向上できる。
ところで、図６に示すように、特許文献１と同様に、太陽電池パネル１０１と、電源装置１０２と、灯具１０３と、を支柱１０４に設けた照明器具１００が提案されている。
このような従来の照明器具１００は、灯具１０３の下側に点灯制御用のセンサ１０５が取り付けられており、センサ１０５の上部に雨よけのためのフード１０６が取り付けられている。
【０００５】
このような従来の照明器具１００は、センサ１０５が、周囲の明るさをセンシングすることにより、灯具１０３の点灯を制御する。
しかし、このような従来の照明器具１００は、灯具１０３の真下にセンサ１０５が配置されているために、虫の飛来に伴う障害等により、センサ１０５が誤検知することが考えられる。
センサ１０５の誤検知により、想定しない回数の充放電が行われた場合に蓄電性能が劣化する。
【０００６】
本発明は、前述した課題を解決するためになされたものであり、その目的は、誤検知を少なくして品質を向上できる照明器具を提供することにある。
【課題を解決するための手段】
【０００７】
本発明に係る照明器具は、鉛直方向に設置される筒状のポールと、前記ポールの上部において受光面が傾斜するように固定される太陽電池パネルと、前記ポールの上部において、前記太陽電池パネルの前記受光面とは反対側である背面側に配置され、かつ前記太陽電池パネルにより発電された電力を蓄える電源装置と、を備える太陽光発電装置と、前記ポールから側方に突出されて前記ポールに取り付けられ、かつ前記電源装置から供給される電力によって点灯する灯具と、前記ポールから、前記灯具と同じ側に突出されて前記ポールに取り付けられ、前記灯具と前記太陽光発電装置との間に位置し、かつ前記灯具の点灯を制御するセンサと、を備え、前記センサは、前記灯具と前記太陽光発電装置との間の距離を２等分した中央位置を基準として前記太陽光発電装置寄りに位置し、かつ前記太陽光発電装置の鉛直方向視の輪郭形状内に位置する。
【０００８】
本発明に係る照明器具は、前記センサは、雨よけ用のフードを有さず、前記太陽電池パネルが雨よけ用のフードとして機能する。
【発明の効果】
【００１０】
本発明に係る照明器具によれば、誤検知を少なくして品質を向上できるという効果を奏する。
【図面の簡単な説明】
【００１１】
【図１】本発明に係る第１実施形態の照明器具の正面図
【図２】本発明に係る第１実施形態の照明器具の側面図
【図３】本発明に係る第１実施形態の照明器具の要部側面図
【図４】本発明に係る第１実施形態の照明器具の変形例の要部側面図
【図５】本発明に係る第２実施形態の照明器具の要部側面図
【図６】従来の照明器具の要部側面図
【発明を実施するための形態】
【００１２】
以下、本発明に係る複数の実施形態の照明器具について図面を参照して説明する。
（第１実施形態）
図１に示すように、本発明に係る第１実施形態の照明器具１０は、太陽光発電装置１１と、灯具１２と、センサ部１３と、を備える。
照明器具１０は、地面９１上に鉛直方向に設置される筒状のポール１４と、ポール１４の上端部に設けられたポール受部（図２参照）１５と、ポール受部１５に固定される器具本体１６と、を備える。
【００１３】
太陽光発電装置１１は、器具本体１６に収容された太陽電池パネル１７と、電源装置（図２参照）１８と、を備える。
太陽電池パネル１７は、その受光面１９が太陽に向くように傾斜されている。
太陽光発電装置１１は、太陽電池パネル１７により発電された電力が電源装置１８により蓄えられ、電源装置１８に蓄えた電力を灯具１２に給電することにより、灯具１２を点灯させる。
【００１４】
ポール１４は、例えばアルミニウム製の型材により円筒形状に形成されており、その基部に、地面９１に埋設されるアンカー２０を備えている。
ポール受部１５は、溶接が可能な金属製であって、ポール１４の上端部に取り付けられており、上部に、同じく溶接が可能な金属製の器具本体１６が固定されている。
【００１５】
灯具１２は、例えば不図示の複数のＬＥＤをＬＥＤ基板に封止したＬＥＤユニットであり、ポール１４の上端部寄りにおいて取付ブラケット２１を介して取り付けられることにより、地面９１に向けた配光特性を有する。
灯具１２は、ＬＥＤ基板にプリント回路を有し、プリント回路が電源装置１８に電気的に接続されているために、電源装置１８から給電されることにより点灯する。
なお、灯具１２は、ＬＥＤユニットに限定されることはなく、電球や蛍光灯を適用することもできる。
【００１６】
そして、センサ部１３は、明るさセンサであって、灯具１２よりも上方において、太陽光発電装置１１と灯具１２との間のポール１４の上端部寄りに取り付けられている。
センサ部１３は、電源装置１８に電気的に接続されており、周囲の明るさをセンシングした値があらかじめ定められた閾値を下回ったときに、電源装置１８から給電させて灯具１２を点灯させる。
【００１７】
図２に示すように、ポール受部１５は、ポール１４の上端部にねじ２２がねじ込まれることによりポール１４に固定されている。
太陽光発電装置１１は、太陽に向く器具本体１６の前面に太陽電池パネル１７を配置しており、器具本体１６の背面に電源装置１８を配置している。
ポール１４は、灯具１２の反対側に蓋部材２３のねじ止めにより閉成された開口部２４を有する。
【００１８】
図３に示すように、センサ部１３は、太陽光発電装置１１と灯具１２との間の範囲Ａ内においてポール１４の上端部寄りに取り付けられている。
従って、センサ部１３は、灯具１２の下側に配置されていないために、虫の飛来が少なくなり、虫の飛来の伴う誤検知を防止できる。
【００１９】
また、センサ部１３が、太陽光発電装置１１と灯具１２との間の範囲Ａ内における灯具１２よりも上方に取り付けられている。
従って、センサ部１３は、上方に配置される太陽光発電装置１１の器具本体１６により、上方からの雨水Ｒの付着が防止される。
【００２０】
さらに、センサ部１３が、太陽光発電装置１１と灯具１２との間の範囲Ａ内における灯具１２よりも上方において、太陽光発電装置１１の鉛直方向視の輪郭形状Ｂ内に設けられている。
従って、センサ部１３は、上方の近傍に太陽光発電装置１１の器具本体１６が配置されるために、従来のもののようなフードを不要にできる。
【００２１】
照明器具１０は、太陽電池パネル１７の受光面１９が受光した光エネルギーにより発電された電力が電源装置１８に常時蓄電される。
そして、センサ部１３がセンシングした値が、あらかじめ定められた閾値を下回ったときから所定の時間の間、電源装置１８からの給電により灯具１２を点灯させる。
【００２２】
次に、本発明に係る第１実施形態の照明器具１０の変形例について説明する。
図４に示すように、本変形例は、太陽光発電装置１１の太陽電池パネル１７と灯具１２との間の範囲Ａ内に、ブラケット２５を介して取り付けられたセンサ部１３を備えている。
【００２３】
以上、説明した本発明に係る第１実施形態の照明器具１０によれば、センサ部１３が灯具１２の下側に配置されていないために、虫の飛来が少なくなり、虫の飛来の伴う誤検知を防止できる。
【００２４】
また、照明器具１０によれば、上方に配置される太陽光発電装置１１の器具本体１６により、上方からの雨水Ｒの付着が防止される。
【００２５】
そして、照明器具１０によれば、上方の近傍に太陽光発電装置１１の器具本体１６が配置されるために、従来のもののようなフードを不要にできる。
【００２６】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２７】
図５に示すように、本発明に係る第２実施形態の照明器具３０は、太陽光発電装置１１と灯具１２との間の範囲Ａ内の中央位置Ｃの下側においてポール１４に取り付けられたセンサ部３１を備えている。センサ部３１は、その上部にフード３２が取り付けられている。
従って、センサ部３１は、灯具１２の下側に配置されていないために、虫の飛来が少なくなり、虫の飛来の伴う誤検知を防止できる。
また、センサ部３１は、太陽光発電装置１１と灯具１２との間の範囲Ａの中央位置Ｃの下側に取り付けられるために、雨よけ用のフード３２の外形を大きくする必要がない。
【００２８】
第２実施形態の照明器具３０によれば、センサ部３１が、太陽光発電装置１１の太陽電池パネル１７と灯具１２との間の範囲Ａの中央位置Ｃの下側に取り付けられるために、フード３２を小さくできる。
【００２９】
なお、本発明の照明器具において太陽電池パネル、器具本体、ポール、電源装置等は、前述した各実施形態に限定されるものではなく、適宜な変形や改良等が可能である。
【符号の説明】
【００３０】
１０，３０  照明器具
１２  灯具
１４  ポール
１７  太陽電池パネル
１８  電源装置
１９  受光面
１３，３１  センサ部（センサ）
【図１】
0005861065.tif 000002
【図２】
0005861065.tif 000003
【図３】
0005861065.tif 000004
【図４】
0005861065.tif 000005
【図５】
0005861065.tif 000006
【図６】
0005861065.tif 000007